(57)【要約】 【課題】  簡単な構成でサッシ枠が外壁開口部に取り付けられるサッシを提供する。【解決手段】  補助枠４の下枠４ｃの室外側に形成した突片４ｃ１の下端には、室外側に向かって取付片１６が突設され、補助枠４の下枠４ｃの室内側に形成した溝部１４の下端には、室内側に向かって取付片１７が突設され、各取付片１６，１７にはレベリング調整ネジ１８が取り付けてあり、そのネジ１８によって外壁開口部２ａ内における高さ調整を行ったサッシ枠３がアンカー部材２４を介して外壁開口部２ａに取り付けられる。【選択図】  図１
2005120712.tif 000002
【特許請求の範囲】
【請求項１】
補助枠の内側に枠本体を取り付けてサッシ枠を構成し、前記補助枠を躯体と連結してサッシ枠を外壁の開口部に取り付けるサッシにおいて、補助枠の下枠には、その室内、室外側に、外壁開口部内におけるサッシ枠の高さ調整を行うレベリング調整ネジを設けてあることを特徴とするサッシ。
【請求項２】
枠本体の左右枠及び上枠の外壁開口部側には、室内外方向に向かい合う突片が突設されており、左右枠の室外側突片は、補助枠の左右枠の室外側にある室内側に向かって突設された突片に当接し、補助枠の左右枠の外壁の開口部側から捩じ込まれたネジによって補助枠の左右枠の室外側にネジ止めされ、左右枠の室内側突片は、補助枠の左右枠の外壁開口部側から捩じ込まれたネジによって断面Ｌ字状の連結部材を介して補助枠の室内側にネジ止めされ、上枠の室外側突片は、補助枠の室外側に形成した嵌め込み溝に嵌め込まれ、上枠の室内側突片は、補助枠の上枠の室内側に形成した溝部に嵌め込まれ、室内側から溝部の内側に向かって挿入する楔部材によって前記突片が溝部に押し付けられ、枠本体の下枠の外壁開口部側には、室外側には外壁の開口部に向かって突片が突設され、室内側には室外側に向かって突片が突設され、室外側突片は、補助枠の下枠の室外側に形成した突片に当接し、室外側から捩じ込まれるネジによって補助枠の室外側にネジ止めされ、室内側突片は、補助枠の下枠の室内側に形成した溝部に嵌め込まれ、室内側から溝部の内側に向かって挿入する楔部材によって前記突片が溝部に押し付けられることで枠本体を補助枠に取り付け、その補助枠をアンカー部材を介して躯体に連結して成ることを特徴とする請求項１記載のサッシ。
【請求項３】
補助枠の下枠には、室外側に形成した突片の下端に室外側に向かって取付片が突設され、また、室内側に形成した溝部の下方に室内側に向かって取付片が突設され、各取付片には、レベリング調整ネジが取り付けてあることを特徴とする請求項２記載のサッシ。
【発明の詳細な説明】
【技術分野】
【０００１】
本発明は、サッシ枠を乾式外壁材から成る外壁の開口部に取り付けて構成されるサッシに関する。
【背景技術】
【０００２】
従来、上記のサッシは、サッシ枠を構成する補助枠を外壁の開口部付近に固定した躯体に連結するものが知られている。特許文献１には、補助枠の上下左右枠の室内側にねじ止め部が備えられ、そのねじ止め部が外壁開口部付近に固定された躯体（スチール製）の長手方向に沿って溶接固定されたスチール部材の取付面にねじ止めされるようになっている。また、上枠に備えたねじ止め部とスチール部材の取付面との間に介在板を配置することで、ねじ止め部と取付面との隙間を調整（開口部とサッシ枠との間の施工誤差を吸収）するようになっている。ところが、ねじ止め部と取付面との隙間を調整する介在板の一部が施工現場で紛失してしまうと、サッシ枠を外壁開口部に取り付けできないおそれがある。
特許文献２は、高さ調整ボルトが下枠の長手方向に所要数ねじ込まれているものである。
【特許文献１】特開２００１−２９５５５４号公報
【特許文献２】特開２００２−１０６２６１号公報
【発明の開示】
【発明が解決しようとする課題】
【０００３】
本発明では、簡単な構成でサッシ枠が外壁開口部に取り付けられるサッシを提供することを目的とする。
【課題を解決するための手段】
【０００４】
本願は、補助枠の内側に枠本体を取り付けてサッシ枠を構成し、前記補助枠を躯体と連結してサッシ枠を外壁の開口部に取り付けるサッシにおいて、補助枠の下枠には、その室内、室外側に、外壁開口部内におけるサッシ枠の高さ調整を行うレベリング調整ネジを設けてあることを特徴とする。
具体的に上記のサッシ枠は、枠本体の左右枠及び上枠の外壁開口部側には、室内外方向に向かい合う突片が突設されており、左右枠の室外側突片は、補助枠の左右枠の室外側にある室内側に向かって突設された突片に当接し、補助枠の左右枠の外壁開口部側から捩じ込まれたネジによって補助枠の左右枠の室外側にネジ止めされ、左右枠の室内側突片は、補助枠の左右枠の外壁開口部側から捩じ込まれたネジによって断面Ｌ字状の連結部材を介して補助枠の室内側にネジ止めされ、上枠の室外側突片は、補助枠の室外側に形成した嵌め込み溝に嵌め込まれ、上枠の室内側突片は、補助枠の上枠の室内側に形成した溝部に嵌め込まれ、室内側から溝部の内側に向かって挿入する楔部材によって前記突片が溝部に押し付けられ、枠本体の下枠の外壁開口部側には、室外側には外壁開口部に向かって突片が突設され、室内側には室外側に向かって突片が突設され、室外側突片は、補助枠の下枠の室外側に形成した突片に当接し、室外側から捩じ込まれるネジによって補助枠の室外側にネジ止めされ、室内側突片は、補助枠の下枠の室内側に形成した溝部に嵌め込まれ、室内側から溝部の内側に向かって挿入する楔部材によって前記突片が溝部に押し付けられることで枠本体を補助枠に取り付け、その補助枠をアンカー部材を介して躯体に連結して成ることを特徴とする。
上記した補助枠の下枠には、室外側に形成した突片の下端に室外側に向かって取付片が突設され、また、室内側に形成した溝部の下方に室内側に向かって取付片が突設され、各取付片には、レベリング調整ネジが取り付けてあることを特徴とする。
【発明の効果】
【０００５】
本発明では、外壁開口部内におけるサッシ枠の高さ調整を行うレベリング調整ネジを補助枠の下枠に設け、アンカー部材によってサッシ枠の補助枠を躯体に連結するようにしたことで、外壁の開口部とサッシ枠との間の施工誤差を吸収するような専用の部品を用いなくてもサッシ枠を外壁開口部に取り付けることができる。
【実施例】
【０００６】
図１，２に示すサッシ１は、乾式外壁材から成る外壁２の矩形の開口部２ａにサッシ枠３を取り付けて構成される。前記サッシ枠３は補助枠４の内側に枠本体５を取り付けたものであって、補助枠４及び枠本体５は、夫々スチール又はアルミ材から成る上枠４ａ，５ａ、対の縦枠（左右枠）４ｂ，５ｂ、下枠４ｃ，５ｃとを枠組みして構成される。枠本体５の上枠５ａ及び左右枠５ｂの外壁開口部２ａ側には、室内外方向に向かい合う突片５ａ１，５ａ２，５ｂ１，５ｂ２が突設されている。枠本体５の左右枠５ｂの室外側突片５ｂ１は、補助枠４の左右枠４ｂの室外側にある室内側に向かって突設された突片４ｂ１に当接し、補助枠４の左右枠４ｂの外壁開口部側２ａから捩じ込まれたネジ６（本実施形態では左右枠４ｂの長手方向の中央部に１本）によって補助枠４の左右枠４ｂの室外側にネジ止めされている。枠本体５の左右枠５ｂの室内側突片５ｂ２は、補助枠４の左右枠４ｂの外壁開口部２ａ側から捩じ込まれた複数のネジ７によって断面Ｌ字状の連結部材８を介して補助枠４の左右枠４ｂの室内側にネジ止めされている。
【０００７】
枠本体５の上枠５ａの室外側突片５ａ１は、補助枠４の上枠４ａの室外側に形成した嵌め込み溝１０に嵌め込まれている。上枠５ａの室内側突片５ａ２は、補助枠４の上枠４ａの室内側に上枠４ａの長手全長にわたって形成した溝部１１に嵌め込まれ、室内側から溝部１１の内側に挿入する複数の楔部材１２（本実施形態ではネジ）によって前記突片５ａ２が溝部１１の下面に押し付けられる。枠本体５の下枠５ｃの外壁開口部２ａ側には、室外側には外壁開口部２ａに向かって突片５ｃ１が突設され、室内側には室外側に向かって突片５ｃ２が突設されている。前記下枠５ｃの室外側突片５ｃ１は、補助枠４の下枠４ｃの室外側に垂直に形成された突片４ｃ１に当接し、室外側から捩じ込まれるネジ１３によって補助枠４の室外側にネジ止め（仮止め）されている。下枠５ｃの室内側突片５ｃ２は、補助枠４の下枠４ｃの室内側に下枠４ｃの長手全長にわたって形成した溝部１４に嵌め込まれ、室内側から溝部１４の内側に挿入する複数の楔部材１５（本実施形態ではネジ）によって前記突片５ｃ２が溝部１４の下面に押し付けられている。こうして枠本体５が補助枠４に取り付けられている。
【０００８】
前記補助枠４の下枠４ｃの室外側に形成した突片４ｃ１の下端には、室外側に向かって取付片１６が突設され、補助枠４の下枠４ｃの室内側に形成した溝部１４の下方には、室内側に向かって取付片１７が突設されている。各取付片１６，１７にはレベリング調整ネジ１８が上方より捩じ込まれている。また、補助枠４の上下枠４ａ，４ｃの室内側にはボルト頭部保持溝１９，２０が形成されており、各溝１９，２０に挿入された適数個のボルト２１はナット２２によって適宜な位置で固定されている。補助枠４の左右枠４ｂに備えた断面Ｌ字状の連結部材８、上下枠４ａ，４ｂに備えたボルト２１又はナット２２と外壁２の開口部２ａ付近に固定された躯体２３とをアンカー部材２４を介して溶着することで、サッシ枠３が外壁開口部２ａに取り付けられている。
【０００９】
次に、サッシ枠３を外壁開口部２ａに取り付ける施工方法について説明する。外周にシール材２５を備えたサッシ枠３を、外壁２の室外側から開口部２ａに嵌め込む。補助枠４の下枠４ｃの室内、室外側に設けたレベリング調整ネジ１８によって外壁開口部２ａ内におけるサッシ枠３の高さ調整を行った後、アンカー部材２４を介して補助枠４の上下枠４ａ，４ｃに備えたボルト２１又はナット２２、左右枠４ｂに備えた断面Ｌ字状の連結部材８と外壁２の開口部２ａ付近に固定された躯体２３とを溶着連結する。サッシ枠３が外壁２の開口部２ａに取り付けられた後、室内側から、枠本体５の上下左右枠５ａ，５ｂ，５ｃにネジ止めされたブラケット２６に額縁材２７を取り付ける。
【００１０】
また、枠本体５の下枠５ｃの室外側突片５ｃ１と補助枠４の下枠４ｃの室側側突片４ｃ１とをネジ止め（仮止め）しているネジ１３を一旦外し、室外側から水切り２８を室外側突片５ｃ１に当接させた後、ネジ１３によって水切り２８と室外側突片５ｃ１と室外側突片４ｃ１とをネジ止めする。そして、補助枠４と開口部２ａとの間、補助枠４と水切り２８の間、水切り２８と外壁２との間をシール材２９によってシーリングする。こうして乾式外壁材から成る外壁２の開口部２ａにサッシ枠３が取り付けられてサッシ１が構成される。以上のことにより、外壁開口部２ａ内におけるサッシ枠３の高さ調整を行うレベリング調整ネジ１８を補助枠４の下枠４ｃに設け、アンカー部材２４によってサッシ枠３と躯体２３とを連結することで、従来のように、外壁２の開口部２ａとサッシ枠３との間の施工誤差を吸収する介在板を用いなくても、サッシ枠３を開口部２ａに取り付けることができる。
【図面の簡単な説明】
【００１１】
【図１】本発明のサッシを示す縦断面図である。
【図２】図１に示すサッシの横断面図である。
【符号の説明】
【００１２】
１      サッシ
２      外壁
２ａ    開口部
３      サッシ枠
４      補助枠
４ａ    上枠
４ｂ    左右枠
４ｃ    下枠
４ｃ１  突片
４ｂ１  突片
５      枠本体
５ａ    上枠
５ａ１，５ａ２  突片
５ｂ    左右枠
５ｂ１，５ｂ２  突片
５ｃ    下枠
６    ネジ
７    ネジ
８    連結部材
９    ネジ
１０  嵌め込み溝
１１  溝部
１２  ネジ
１３  ネジ
１４  溝部
１５  ネジ
１６  取付片
１７  取付片
１８  レベリング調整ネジ
２３  躯体
２４  アンカー部材
【図１】
2005120712.tif 000003
【図２】
2005120712.tif 000004